【手続補正書】
【提出日】平成16年10月22日(2004.10.22)
【手続補正１】
【補正対象書類名】明細書
【補正対象項目名】全文
【補正方法】変更
【補正の内容】
【書類名】  明細書
【発明の名称】  端末をサブネットワークの制御器として決定する、複数の端末を有するアドホックネットワーク
【特許請求の範囲】
【請求項１】
端末を、少なくとも２つのサブネットワークを制御する制御器として決定する、複数の端末を有するアドホックネットワークであって、
−  前記端末のそれぞれにIDが割り当てられ、
−  前記端末は、所定のエリアに位置した他の端末へ自身のIDを伝送するよう構成され、
−  前記端末の内、最高のIDを持つ端末が第一サブネットワークの制御器として構成され、
−  最低のIDを持つ側の一定の数の他の端末が、前記第一サブネットワークに割り当てられ、
−  前記端末の内、二番目に高いIDを持つ統合されていない端末が第二サブネットワークの制御器として構成され、更に、
−  一定の数の他の端末が、最低のIDを持つ側の統合されていない端末と合わさって、前記第二サブネットワークに割り当てられる
−  最低のIDを持つ側の一定の数の他の統合されていない端末が、前記第二サブネットワークに割り当てられる
アドホックネットワーク。
【請求項２】
それぞれ最高のIDを持つ他の統合されていない端末が、他のサブネットワークの制御器として構成され、最低のIDを持つ側の一定の数の他の統合されていない端末が、前記他のサブネットワークに割り当てられることを特徴とする請求項１に記載のアドホックネットワーク。
【請求項３】
サブネットワークに統合されるべき端末の前記一定の数が、前記サブネットワークの伝送容量に依存することを特徴とする請求項１に記載のアドホックネットワーク。
【請求項４】
サブネットワークの制御器が、より高いIDを持つ端末の検知の後、前記より高いIDを持つ前記端末へ制御機能を引き渡すよう構成されていることを特徴とする請求項１に記載のアドホックネットワーク。
【請求項５】
前記サブネットワークのそれぞれの前記制御器がそれぞれ、少なくとも２つのサブネットワークを接続するブリッジ端末を介してデータを交換するよう構成されていることと、前記ネットワークの変更の際のための制御器が、前記制御器間で交換される前記データを利用して少なくとも１つのサブネットワークの再構成を開始するよう構成されていることと、を特徴とする請求項１に記載のアドホックネットワーク。
【請求項６】
端末を、複数の端末を有するアドホックネットワーク中で、少なくとも２つのサブネットワークを制御する制御器として決定する方法であって、
−  前記端末のそれぞれにIDが割り当てられ、
−  前記端末は、所定のエリアに位置した他の端末へ自身のIDを伝送するよう構成され、
−  前記端末の内、最高のIDを持つ端末が第一サブネットワークの制御器として構成され、
−  最低のIDを持つ側の一定の数の他の端末が、前記第一サブネットワークに割り当てられ、
−  前記端末の内、二番目に高いIDを持つ統合されていない端末が第二サブネットワークの制御器として構成され、更に、
−  最低のIDを持つ側の一定の数の他の統合されていない端末が、前記第二サブネットワークに割り当てられる方法。
【請求項７】
端末を、少なくとも２つのサブネットワークを制御する制御器として決定する、複数の他の端末を有するアドホックネットワーク中の端末であって、
−  前記端末は、所定のエリアに位置した他の端末へ自身のIDを伝送し、前記所定のエリアに位置した前記他の端末のIDを受信するよう構成され、
−  前記端末は、最高のIDを持っていれば第一ネットワークの制御器として構成され、
−  前記端末は、最低のIDを持つ側の一定の数の他の端末に属すれば、前記第一ネットワークに割り当てられ、
−  前記端末は、統合されていない端末に属し、二番目に高いIDを持っていれば、第二サブネットワークの制御器として構成され、又は、
−  前記端末は、最低のIDを持つ側の一定の数の他の統合されていない端末に属すれば、前記第二サブネットワークに割り当てられる端末。
【発明の詳細な説明】
【０００１】
【発明の属する技術分野】
本発明は、端末を、少なくとも二つのサブネットワークを制御する制御器として決定する、複数の端末を有するアドホックネットワークに関する。このようなアドホックネットワークは自己組織的であり、例えば、複数のサブネットワークを有することができる。
【０００２】
【従来の技術】
2000年8月11日発行の、1st IEEE Annual Workshop on Mobile Ad Hoc Networking & Computing誌の、J. Habetha, A. Hettich, J. Peetz及びY. Duによる「ETSI-BRAN HIPERLAN/2アドホックネットワークの集中制御器ハンドオーバ手法及びサービス品質の保証されたクラスタリング」の文献で、複数の端末を有するアドホックネットワークについて議論されている。少なくとも１つの端末が、アドホックネットワークを制御する制御器として構成される。特定の状況下では、他の端末が制御器になることが必要になるかもしれない。新しい制御器を決定するのに、特にLDV法とICT法が提案される。LDV(最低距離値)法では、各端末がそれぞれの隣接した端末からの距離の合計を計算し、この合計を隣接した端末の数で除算する。最低値を持つ端末が新しい制御器となる。ICT(最高インクラスタトラフィック)法では、隣接した端末と最も高いトラフィックを持つ端末が制御器として選択される。
【０００３】
【発明が解決しようとする課題】
本発明の目的は、制御機能を持つ端末(制御器)を簡単な方法で発見する手段を持つネットワークを提供することである。
【０００４】
【課題を解決するための手段】
この目的は、冒頭段落で規定した種類のネットワークで、
−  端末を、少なくとも２つのサブネットワークを制御する制御器として決定する、複数の端末を有するアドホックネットワークであって、
−  前記端末のそれぞれにIDが割り当てられ、
−  前記端末は、所定のエリアに位置した他の端末へ自身のIDを伝送するよう構成され、
−  前記端末の内、最高のIDを持つ端末が第一サブネットワークの制御器として構成され、
−  最低のIDを持つ側の一定の数の他の端末が、第一サブネットワークに割り当てられ、
−  前記端末の内、二番目に高いIDを持つ統合されていない端末が第二サブネットワークの制御器として構成され、更に、
−  最低のIDを持つ側の一定の数の他の統合されていない端末が、前記第二サブネットワークに割り当てられる
ネットワークにより達成される。
【０００５】
本発明によれば、最高のIDを持つ端末が第一サブネットワークの制御器となる。制御器とはサブネットワーク中で制御機能を実行する端末である。最低のIDを持つ側の一定の数の端末が、第一サブネットワークに統合される。サブネットワークに統合される端末の数は、例えばサブネットワークの伝送容量に依存し得る。統合されていない、すなわち独立した端末がまだあれば、第二サブネットワークが開設される。独立端末の内最高のIDを持つ端末、つまり所定のエリア中で二番目に高いIDを持つ端末が、制御器になる。この所定のエリアは、例えば、サブネットワークに統合されるのを待っている端末がデータを直接交換することができるエリアであり得る。第二サブネットワークには次に、最低のIDを持つ側の一定の数の独立端末が統合される。
【０００６】
最高のIDを持つ側の他の統合されていない端末が他のサブネットワークの制御器として構成される。最低のIDを持つ側の一定の数の他の統合されていない端末が他のサブネットワークに割り当てられる。
【０００７】
サブネットワークの制御器が、より高いIDを持つ端末を検知すると、サブネットワーク又はネットワーク全体の再構成が必要である。その場合制御器機能はより高いIDを持つ端末へ引き渡される。
【０００８】
各サブネットワークの制御器は、少なくとも２つのサブネットワークを接続するブリッジ端末を介してデータを交換することができる。ネットワーク中における変更の際に、制御器は次に、制御器間で交換されたデータに基づいて少なくとも１つのサブネットワークの再構成を開始する。
【０００９】
本発明は更に、端末を、アドホックネットワーク中で少なくとも２つのサブネットワークを制御する制御器として決定する方法に関する。
【００１０】
ネットワーク中で伝送されるデータは、例えばパケット伝送方式に基づいて発生させることができる。パケットは、パケット全体か、又は、追加情報が加えられた後サブパケットとして、ワイヤレス媒体を伝送されることができる。ワイヤレス伝送とは、無線、赤外又はウルトラシェル(ultrashell)伝送等を意味すると理解される。使用することができるパケット伝送方式としては、例えば、セルと呼ばれる固定長のパケットを発生させる非同期転送モード(ATM)がある。
【００１１】
本発明のこれらの及び他の側面は、以下で述べる実施例を参照して説明し、明らかにされる。
【００１２】
【発明の実施の形態】
以下に示される実施例は、従来のネットワークと対照的に自己組織的な、アドホックネットワークに関する。このようなアドホックネットワーク中の各端末は、固定ネットワークへのアクセスを可能にすることができ、即座に使用することができる。アドホックネットワークは、構造及び加入者の数が、所定の限界値以内に固定されないことを特徴とする。例えば、加入者の通信装置はネットワークから除去されるか、又は、組み込まれることができる。従来の移動無線ネットワークとは反対に、アドホックネットワークは固定してインストールされたインフラに限定されない。
【００１３】
アドホックネットワークのエリアの大きさは、通常１つの端末の伝送範囲よりずっと大きい。従って、２つの端末間の通信では、更なる端末でスイッチをオンにし、これらのメッセージ又はデータが２つの通信中の端末間で伝送されることを可能にすることが必要になるかもしれない。このような、端末間のメッセージ及びデータの転送を必要とするアドホックネットワークは、マルチホップ(multihop)アドホックネットワークと呼ばれる。アドホックネットワークの可能な構成は、規則的に形成するサブネットワーク又はクラスタから構成される。アドホックネットワークのサブネットワークは、例えば、テーブルに着いた加入者の無線経路を介して接続された端末により形成されることができる。このような端末は、例えば、メッセージ及び画像等のワイヤレス交換のための通信装置であり得る。
【００１４】
アドホックネットワークには２つの種類があり得る。これらは分散型アドホックネットワーク及び集中型アドホックネットワークである。分散型アドホックネットワークでは端末間の通信は分散されている、つまり、端末が他の端末の伝送範囲内にあるならば、各端末は他のどの端末とも直接通信することができる。分散型アドホックネットワークの利点は、その単純さ及びエラーに対する耐性である。集中型アドホックネットワークでは、例えば端末の無線伝送媒体への多重アクセス(媒体アクセス制御=MAC)の機能等の特定の機能は、サブネットワーク毎に１つの特定の端末により制御される。この端末は集中端末又は集中制御器(CC)と呼ばれる。これらの機能は常に同一の端末により実行されなければならないわけではなく、集中制御器として作動している端末により、その時点で集中制御器として作動している他の端末へ引き渡されることができる。集中型アドホックネットワークの利点は、このネットワーク中では、単純な方法によってサービスの品質(QoS)についての取り決めが可能であるということである。集中型アドホックネットワークの例は、HiperLAN/2 Home Environment Extension (HEE)に従って構成されたネットワークである(2000年8月11日発行の、1st IEEE Annual Workshop on Mobile Ad Hoc Networking & Computing誌の、J. Habetha, A. Hettich, J. Peetz及びY. Duによる「ETSI-BRAN HIPERLAN/2アドホックネットワークの集中制御器ハンドオーバ手法及びサービス品質の保証されたクラスタリング」と比較されたい)。
【００１５】
図１は、各々が複数の端末4乃至16を含む三つのサブネットワーク1乃至3を有するアドホックネットワークの実施例を示す。サブネットワーク1の構成要素は端末4乃至9、サブネットワーク2の構成要素は端末4及び10乃至12、そしてサブネットワーク3の構成要素は端末5及び13乃至16である。サブネットワーク中で、それぞれのサブネットワークに属している端末は、無線経路を通じてデータを交換する。図１に示した楕円はサブネットワーク(1乃至3)の無線有効範囲を表し、ここではサブネットワークに属する端末間での大きな問題のない無線伝送が可能である。
【００１６】
端末4及び5は、それぞれ２つのネットワーク間、1と2と又は1と3との間でのデータ交換を可能にするため、ブリッジ端末と呼ばれる。ブリッジ端末4はサブネットワーク1と2との間のデータトラフィックに、ブリッジ端末5はサブネットワーク1と3との間のデータトラフィックに用いられる。
【００１７】
図１に示されたローカルエリアネットワークの端末4乃至16は、移動通信装置又は固定通信装置であり得て、例えば、図２に示されるように、少なくとも局17と、接続制御器18と、アンテナ20を有する無線装置19と、を有する。局17は、例えば、携帯コンピュータ、携帯電話等であり得る。
【００１８】
端末6乃至16の無線装置19は、図３に示されるように、アンテナに加えて、高周波回路21と、モデム22と、プロトコル装置23と、を有する。プロトコル装置23は接続制御器18から受信したデータストリームからパケットユニットを形成する。パケットユニットは、データストリームの一部と、プロトコル装置23により形成された追加制御情報とを含む。プロトコル装置はLLC層(LLC=論理リンク制御)用及びMAC層(MAC=媒体アクセス制御)用のプロトコルを用いる。MAC層は端末の無線伝送媒体への多重アクセスを制御し、LLC層は流れ及びエラー制御を実行する。
【００１９】
上で見たように、集中アドホックネットワークのサブネットワーク1乃至3では、特定の端末が制御及び管理機能を担当し、集中制御器と呼ばれる。制御器は更に、関連したサブネットワーク中で通常の端末としても動作する。制御器は、例えば、サブネットワーク中で動作する端末の登録、無線伝送媒体中での少なくとも２つの端末間の接続の設立、資源管理及び無線伝送媒体中でのアクセス制御を担当する。例えば、伝送要求の登録及び告知後、サブネットワークの端末は、制御器によりデータ(パケットユニット)の伝送容量を割り当てられる。
【００２０】
アドホックネットワークでは、データはTDMA、FDMA又はCDMA方式(TDMA=時間分割多元接続、FDMA=周波数分割多元接続、CDMA=符号分割多元接続)に従って端末間で交換されることができる。これらの方式は結合されることもできる。ローカルエリアネットワークのサブネットワーク1乃至3のそれぞれには、チャンネルグループと呼ばれる多くの指定されたチャンネルが割り当てられる。チャンネルは、周波数範囲、時間範囲、そして例えばCDMA方式では拡散符号により、決定される。例えば、ネットワーク1乃至3のそれぞれは、データ交換に使用可能な互いに異なる特定の周波数範囲を持つことが可能であり、当該範囲は搬送周波数fiを持つ。このような周波数範囲では、例えばTDMA方式によりデータが伝送されることができる。次に、サブネットワーク1は搬送周波数f1、サブネットワーク2は搬送周波数f2、そしてサブネットワーク3は搬送周波数f3を割り当てられることができる。それに対し、ブリッジ端末4はサブネットワーク1の他の端末とのデータ交換を実行する際には搬送周波数f1で動作し、サブネットワーク2の他の端末とのデータ交換を実行する際には搬送周波数f2で動作する。ローカルエリアネットワークに含まれる第二ブリッジ端末5は、サブネットワーク1と3との間でデータを伝送し、搬送周波数f1及びf3で動作する。
【００２１】
上で見たように、集中制御器は、例えばアクセス制御器の機能を持つ。これは、集中制御器は、MAC層のフレーム(MACフレーム)の形成を担当するということを意味する。この目的のため、TDMA方式が使用される。このようなMACフレームは制御情報及び有用なデータのための種々のチャンネルを持つ。
【００２２】
図4に、ブリッジ端末の実施例のブロック図が示される。このブリッジ端末の無線スイッチ装置はプロトコル装置24と、モデム25と、アンテナ27を有する高周波回路26と、を有する。プロトコル装置24には無線スイッチ装置28が接続されており、更に当該無線スイッチ装置28には接続制御器29及びバッファ装置30が接続されている。この実施例ではバッファ装置30は１つの記憶要素を含み、データをバッファするのに用いられ、FIFO(最初に入ったものが最初に出る)モジュールとして実現される、つまり、データは、バッファ装置30に書き込まれた順番で読み出される。図４に示される端末は、通常の端末としても動作することができる。図4には示されないが、局が接続制御器29と接続されており、次に、接続制御器29を介して無線スイッチ装置28へデータを供給する。
【００２３】
図４に示されるブリッジ端末は、交互に第一サブネットワーク及び第二サブネットワークと同期化される。同期化は、データ交換のため端末をサブネットワークと統合するプロセス全体を意味すると理解される。ブリッジ端末は、第一サブネットワークと同期化されると、データを全端末及びこの第一サブネットワークの制御器と交換することができる。接続制御器29が、無線スイッチ装置28へ、目的地が第一サブネットワークの端末若しくは制御器、又は第一サブネットワークを介して到達することができる他のサブネットワークの端末若しくは制御器であるデータを供給すると、無線スイッチ装置がこれらのデータを直接プロトコル装置24へ伝送する。制御器が伝送に用いるよう意図していた時間帯に到達するまで、データはプロトコル装置24でバッファされる。接続制御器29からのデータが、第二サブネットワークの端末若しくは制御器、又は第二サブネットワークを介して到達される他のネットワークへ伝送されるとすると、無線伝送は、ブリッジ端末が第二サブネットワークと同期化される時間帯まで遅延される。この目的のため、無線スイッチ装置は、目的地が第二サブネットワークにあるか、又は目的地が第二サブネットワークを介して到達することができるデータを、ブリッジ端末が第二サブネットワークと同期化されるまでデータをバッファするバッファ装置30へ伝送する。
【００２４】
第一サブネットワークの端末又は制御器からのデータがブリッジ端末で受信され、これらのデータの目的地が第二サブネットワークの端末若しくは制御器であるか、又は、第二サブネットワークを介して到達される他のサブネットワークの端末若しくは制御器であるとき、これらのデータは、第二サブネットワークとの同期までバッファ装置30に格納される。目的地がブリッジ端末の局であるデータは、無線スイッチ装置28を介して接続制御器29へ直接伝送され、次に、当該制御器29は受信したデータを所望の局へ導く。目的地が、ブリッジ端末の局でも第二サブネットワークの端末又は制御器でもないデータは、例えば、他のブリッジ端末へ送信される。
【００２５】
ブリッジ端末の第一サブネットワークから第二サブネットワークへの同期の変更後、バッファ装置30にあるデータは、バッファ装置30に書き込まれた順番で再び読み出される。次に、ブリッジ端末が第二サブネットワークと同期化されている間は、目的地が、第二サブネットワーク又は第二サブネットワークを介して到達される他のサブネットワークの端末又は制御器である全データは、無線スイッチ装置28によりプロトコル装置24へ即座に伝送され、目的地が、第一サブネットワーク又は第一サブネットワークを介して到達される他のサブネットワークの端末又は制御器であるデータのみが、バッファ装置30へ格納される。
【００２６】
２つのサブネットワークSN1及びSN2のMACフレームは通常同期化されていない。従って、ブリッジ端末BTは、切り替え時間Tsの間のみならず、待ち時間Twの間もサブネットワークSN1又はSN2に接続されない。これは、サブネットワークSN1及びSN2の一連のMACフレーム及びブリッジ端末BTのMACフレーム構造を示す図５から理解することができる。切り替え時間Tsは、ブリッジ端末がサブネットワークと同期化することができるのに必要な時間である。待ち時間Twは、サブネットワークとの同期化の終了時と、このサブネットワークの新しいMACフレームの開始時との間の時間を表す。
【００２７】
ブリッジ端末BTが、MACフレームの継続中だけサブネットワークSN1又はSN2と接続されていると仮定すると、ブリッジ端末BTはサブネットワークの利用可能なチャンネル容量の４分の１しか持っていないことになる。ブリッジ端末BTが比較的長期間サブネットワークと接続されているという他の極端な場合は、チャンネル容量はサブネットワークの利用可能なチャンネル容量の半分である。
【００２８】
上記のとおり、各サブネットワークは割り当てられたサブネットワークを制御する集中制御器を含む。サブネットワークが操作を開始したとき、唯一つの端末が集中制御器の機能を引き継ぐということを保証するべきである。いかなる端末でも集中制御器の機能を引き継ぐことができるというわけではないと想定されている。集中制御器が決定されると、工程は、例えば制御器の機能を引き継ぐことができる各端末が、それぞれの端末の受信範囲に制御器の機能を実行することができる他の端末がないかチェックするというものになる。この場合、検知した端末は自身が制御器にならないと決定する。もし他の全ての端末もこのチェックを行えば、最終的には他に制御器の機能を有する端末を検知しない端末が１つ残り、当該端末が制御器の機能を引き継ぐ。
【００２９】
サブネットワークが再構成されるという事態も起こり得る。これは以下の理由のためであるかもしれない。
−  集中制御器のスイッチがオフにされる、
−  集中制御器の電力状況が不十分である、
−  １つ又は幾つかの端末の接続が不良である、
−  １つ又は幾つかのサブネットワークの容量状況が不十分である、
−  サブネットワークで新しい端末が統合される、又はスイッチをオフにされる、及び
−  端末がサブネットワークを離れる。
【００３０】
少なくとも１つのサブネットワークを初めて再構成又は構成するのに、HID(トラフィックを持つ最高のID)と呼ばれる以下の工程が用いられる。
【００３１】
全端末はネットワーク中で独自のIDを持つ。各端末は、それぞれの端末の伝送エリアにある全端末に自身のIDを周期的に配信する。幾つかの端末からIDを受信した端末は、自身のIDを、直接隣接した端末(伝送エリア内にある端末)と比較する。端末は、自身のIDが、他の端末から受信したいかなるIDよりも高い場合、自身が制御器になることを自主的に決定する。
【００３２】
HID工程は、最高のIDを持つ端末が制御器になることも規定する。この新しい制御器は、サブネットワーク中の直接隣接した端末を、最低のIDを持つ端末から始めて昇順で接続する。端末は、サブネットワーク中に使用可能な伝送容量がまだある場合にのみサブネットワークに統合されることができる。サブネットワーク中で使用可能な全伝送容量が使い果たされていたら、追加のサブネットワークが開設される。この追加サブネットワークでは、二番目に高いIDを持つ端末が制御器になる。端末の統合は昇順に行われるので、この端末は当然まだ第一サブネットワークに統合されていない。逆にこれは、未だサブネットワークに割り当てられていない端末があったら、これらは最高のIDを持つ側の独立端末であるということを意味する。利用可能なサブネットワークにまだ統合されていない利用可能な端末がまだあれば、更に追加のサブネットワークが開設される。前と同様に、最高のIDを持つ独立端末が常に、残りの独立端末がIDの昇順で割り当てられる制御器になる。
【００３３】
二番目に高いIDを持つ端末が、最高のIDを持つ端末のサブネットワークに統合されることができなければ、二番目に高いIDを持つ端末は、提携の試みが拒否され、又は、最高のIDを持つ端末から直接メッセージが送信されることにより、これを検知することができる。二番目に高いIDを持つ端末は、次に、直接隣接した独立端末と比較して、(独立した、すなわち統合されていない端末の内)自身が最高のIDを持っているということを確認する。この場合、当該端末は、まだ割り当てられていない、すなわちまだ独立した、隣接した端末を組み込むための追加制御器になる。二番目に高いIDを持つ端末により新しいサブネットワークが開設された後に、まだ独立端末があれば、上で説明された工程と同様に、いかなるサブネットワークにもまだ割り当てられていない端末の内最高のIDを持つ端末により新しいサブネットワークが開かれる。サブネットワークの再開設及び引き続きの独立端末の統合は、各端末がサブネットワークに属するまで実行される。
【００３４】
最初の構成後、制御器が他に自身よりも高いIDを持つ直接隣接した端末があるということを検知したらすぐに、ネットワークの再構成が連続的に実行されることができる。その場合制御器機能はこの隣接した端末へ引き渡される。この隣接した端末、すなわち新しい制御器はそれぞれ、古い制御器のサブネットワークの全端末を、これらが自身の伝送エリア又は有効範囲にあり、新しいサブネットワーク中にまだ独立端末がある限り、統合する。上述のとおり、統合はIDの昇順で行われる。もし、伝送容量が使い果たされるか、新しい制御器の有効範囲に端末がないか、又は独立端末がなければ、アルゴリズムは上述のとおり実行される。これは、二番目に高いIDを持つ端末が、追加サブネットワークを開設し、もし全ての独立端末がこの新しく開設されたサブネットワークに統合されることができなければ、更なるサブネットワークが発生することを意味する。
【００３５】
代わりに、時間間隔で、局地的に又はネットワーク全体で再構成が起こることもできる。このとき端末が再構成のための信号を他の全端末へ送信する(放送モード)か、又は、システムワイドな同期化システム時間があれば、全端末が独立的に一定の(周期的)間隔で再構成を開始することができる。
【００３６】
これまで説明された分散組織型のHID工程では、端末は、直接隣接した端末へのみ自身のIDを送信すると仮定されていた。これらの隣接した端末は、この場合、受信されたIDを転送すべきでない、つまり、各端末は、直接隣接した端末へ放送モードの自身のIDのみを送信すべきである。しかし、再構成の場合にはそれぞれの制御器が新しい制御器及び割り当てられたサブネットワーク中での端末のそれぞれの統合を制御するという、それぞれの制御器により実行される集中工程も、実行することができる。次に、制御器がブリッジ端末を介してそれぞれのマトリックス情報を交換する。例えば次に、ネットワークの各端末は、隣接した端末と共にマトリックスへ記述され、古い制御器のそれぞれはマトリックスに基づいて、現在の制御器も新しい制御器なのか、又は他の端末が新しい制御器になるのかを決定することができる。
【図面の簡単な説明】
【図１】  無線伝送のために提供される端末を各々が含む三つのサブネットワークを有するアドホックネットワーク。
【図２】  図１に示されるローカルエリアネットワークの端末。
【図３】  図２に示される端末の無線装置。
【図４】  二つのサブネットワーク間の接続として提供されるブリッジ端末の実施例。
【図５】  二つのサブネットワークのMACフレーム及びブリッジ端末のMACフレーム構造。